【手続補正書】
【提出日】平成28年3月10日(2016.3.10)
【手続補正１】
【補正対象書類名】特許請求の範囲
【補正対象項目名】全文
【補正方法】変更
【補正の内容】
【特許請求の範囲】
【請求項１】
ａ）アルミノケイ酸塩吸着剤材料を、液体の無水四塩化チタンおよび少なくとも１つの不純物を含む原材料に接触させることにより生成物流を形成する段階と、
ｂ）前記少なくとも１つの不純物が吸着された前記吸着剤材料から前記生成物流を回収する段階と、
を備え、
前記少なくとも１つの不純物は、硫化カルボニル、二酸化硫黄、ホスゲン、硫化水素、二硫化炭素、および、ポスト遷移金属、半金属、ジルコニウム、ハフニウム、鉄、クロム、銅、炭素、マンガン、バナジウム、ニッケル、トリウム、ウランの塩化物および酸塩化物、およびこれらの組み合わせから成る群から選択される化合物を含む、四塩化チタンの精製処理。
【請求項２】
前記ポスト遷移金属は、アルミニウム、ガリウム、インジウム、タリウム、スズ、鉛、ビスマス、およびこれらの組み合わせから成る群から選択される請求項１に記載の四塩化チタンの精製処理。
【請求項３】
前記半金属は、ホウ素、シリコン、ゲルマニウム、ヒ素、アンチモン、テルル、ポロニウム、およびこれらの組み合わせから成る群から選択される請求項１または請求項２に記載の四塩化チタンの精製処理。
【請求項４】
前記少なくとも１つの不純物は、約０．１から約１０，０００ｐｐｍｗまでの範囲で前記原材料中に存在する請求項１から請求項３のいずれか１項に記載の四塩化チタンの精製処理。
【請求項５】
前記生成物流は、前記原材料中に含有される前記少なくとも１つの不純物の約８０重量％未満を含む請求項４に記載の四塩化チタンの精製処理。
【請求項６】
前記生成物流は、前記原材料中に含有される前記少なくとも１つの不純物の約５０重量％未満を含む請求項５に記載の四塩化チタンの精製処理。
【請求項７】
前記生成物流は、前記原材料中に含有される前記少なくとも１つの不純物の約２０重量％未満を含む請求項６に記載の四塩化チタンの精製処理。
【請求項８】
前記少なくとも１つの不純物は、約５から約１０００ｐｐｍｗまでの範囲で前記原材料中に存在する請求項４に記載の四塩化チタンの精製処理。
【請求項９】
前記生成物流は、前記原材料中に含有される前記少なくとも１つの不純物の約８０重量％未満を含む請求項８に記載の四塩化チタンの精製処理。
【請求項１０】
前記生成物流は、前記原材料中に含有される前記少なくとも１つの不純物の約５０重量％未満を含む請求項９に記載の四塩化チタンの精製処理。
【請求項１１】
前記生成物流は、前記原材料中に含有される前記少なくとも１つの不純物の約２０重量％未満を含む請求項１０に記載の四塩化チタンの精製処理。
【請求項１２】
前記少なくとも１つの不純物は、スズ、ヒ素、アンチモン、ジルコニウム、およびこれらの組み合わせの塩化物および酸塩化物から成る群から選択される請求項１から請求項１１のいずれか１項に記載の四塩化チタンの精製処理。
【請求項１３】
前記少なくとも１つの不純物は、スズの塩化物および酸塩化物、およびこれらの組み合わせから成る群から選択される請求項１から請求項１１のいずれか１項に記載の四塩化チタンの精製処理。
【請求項１４】
前記原材料は、結合したスズの塩化物および酸塩化物の少なくとも一方を、約１から約５００ｐｐｍｗまでの範囲で含む請求項１３に記載の四塩化チタンの精製処理。
【請求項１５】
前記生成物流は、前記原材料中に含有される前記スズの塩化物および酸塩化物の少なくとも一方の約２０重量％未満を含む請求項１４に記載の四塩化チタンの精製処理。
【請求項１６】
前記原材料は、結合したスズの塩化物および酸塩化物の少なくとも一方を、約１から約２００ｐｐｍｗまでの範囲で含む請求項１４に記載の四塩化チタンの精製処理。
【請求項１７】
前記生成物流は、前記原材料中に含有される前記スズの塩化物および酸塩化物の少なくとも一方の約１０重量％未満を含む請求項１６に記載の四塩化チタンの精製処理。
【請求項１８】
前記少なくとも１つの不純物は、ヒ素の塩化物および酸塩化物、およびこれらの組み合わせから成る群から選択される請求項１から請求項１７のいずれか１項に記載の四塩化チタンの精製処理。
【請求項１９】
前記原材料は、結合したヒ素の塩化物および酸塩化物の少なくとも一方を、約０．１から約２００ｐｐｍｗまでの範囲で含む請求項１８に記載の四塩化チタンの精製処理。
【請求項２０】
前記生成物流は、前記原材料中に含有される前記ヒ素の塩化物および酸塩化物の少なくとも一方の約２０重量％未満を含む請求項１９に記載の四塩化チタンの精製処理。
【請求項２１】
前記原材料は、結合したヒ素の塩化物および酸塩化物の少なくとも一方を、約０．１から約２０ｐｐｍｗまでの範囲で含む請求項１９に記載の四塩化チタンの精製処理。
【請求項２２】
前記生成物流は、前記原材料中に含有される前記ヒ素の塩化物および酸塩化物の少なくとも一方の約１０重量％未満を含む請求項２１に記載の四塩化チタンの精製処理。
【請求項２３】
前記少なくとも１つの不純物は、アンチモンの塩化物および酸塩化物、およびこれらの組み合わせから成る群から選択される請求項１から請求項２２のいずれか１項に記載の四塩化チタンの精製処理。
【請求項２４】
前記原材料は、結合したアンチモンの塩化物および酸塩化物の少なくとも一方を、約０．１から約２００ｐｐｍｗまでの範囲で含む請求項２３に記載の四塩化チタンの精製処理。
【請求項２５】
前記生成物流は、前記原材料中に含有される前記アンチモンの塩化物および酸塩化物の少なくとも一方の約２０重量％未満を含む請求項２４に記載の四塩化チタンの精製処理。
【請求項２６】
前記原材料は、結合したアンチモンの塩化物および酸塩化物の少なくとも一方を、約０．１から約２０ｐｐｍｗまでの範囲で含む請求項２４に記載の四塩化チタンの精製処理。
【請求項２７】
前記生成物流は、前記原材料中に含有される前記アンチモンの塩化物および酸塩化物の少なくとも一方の約１０重量％未満を含む請求項２６に記載の四塩化チタンの精製処理。
【請求項２８】
前記少なくとも１つの不純物は、ジルコニウムの塩化物および酸塩化物、およびこれらの組み合わせから成る群から選択される請求項１から請求項２７のいずれか１項に記載の四塩化チタンの精製処理。
【請求項２９】
前記原材料は、結合したジルコニウムの塩化物および酸塩化物の少なくとも一方を、約０．１から約１００ｐｐｍｗまでの範囲で含む請求項２８に記載の四塩化チタンの精製処理。
【請求項３０】
前記生成物流は、前記原材料中に含有される前記ジルコニウムの塩化物および酸塩化物の少なくとも一方の約２０重量％未満を含む請求項２９に記載の四塩化チタンの精製処理。
【請求項３１】
前記原材料は、結合したジルコニウムの塩化物および酸塩化物の少なくとも一方を、約０．１から約１０ｐｐｍｗまでの範囲で含む請求項２９に記載の四塩化チタンの精製処理。
【請求項３２】
前記生成物流は、前記原材料中に含有される前記ジルコニウムの塩化物および酸塩化物の少なくとも一方の約１０重量％未満を含む請求項３１に記載の四塩化チタンの精製処理。
【請求項３３】
前記アルミノケイ酸塩は、約２００ｍ２／ｇよりも大きな表面積を有する請求項１から請求項３２のいずれか１項に記載の四塩化チタンの精製処理。
【請求項３４】
前記アルミノケイ酸塩は、約６００ｍ２／ｇよりも大きな表面積を有する請求項３３に記載の四塩化チタンの精製処理。
【請求項３５】
前記アルミノケイ酸塩は、約４．５から約９．５Åまでの範囲の平均チャネルサイズを有する請求項１から請求項３４のいずれか１項に記載の四塩化チタンの精製処理。
【請求項３６】
前記アルミノケイ酸塩は、約６．５から約７．５Åまでの範囲の平均チャネルサイズを有する請求項３５に記載の四塩化チタンの精製処理。
【請求項３７】
前記アルミノケイ酸塩は、約０．０２から約０．２重量％までの範囲のアルカリ含有量を有する請求項１から請求項３６のいずれか１項に記載の四塩化チタンの精製処理。
【請求項３８】
前記アルミノケイ酸塩は、約０．０２５から約０．０４重量％までの範囲のアルカリ含有量を有する請求項３７に記載の四塩化チタンの精製処理。
【請求項３９】
前記アルミノケイ酸塩は、約３０から約１００までの範囲のアルミナに対するシリカの比率を有する請求項１から請求項３８のいずれか１項に記載の四塩化チタンの精製処理。
【請求項４０】
前記アルミノケイ酸塩は、約６０から約８５までの範囲のアルミナに対するシリカの比率を有する請求項３９に記載の四塩化チタンの精製処理。
【請求項４１】
前記アルミノケイ酸塩はゼオライトである請求項１から請求項４０のいずれか１項に記載の四塩化チタンの精製処理。
【請求項４２】
前記ゼオライトはフォージャサイト型ゼオライトである請求項４１に記載の四塩化チタンの精製処理。
【請求項４３】
前記原材料は、単独の容器中で前記アルミノケイ酸塩と接触され、前記アルミノケイ酸塩は、消費されると前記容器から除去されて処分される請求項１から請求項４２のいずれか１項に記載の四塩化チタンの精製処理。
【請求項４４】
前記原材料は、前記アルミノケイ酸塩が消費されて消費されたアルミノケイ酸塩を形成するまで単独の容器中で前記アルミノケイ酸塩と接触され、消費されると直ちに、前記消費されたアルミノケイ酸塩が再生されてその後前記原材料と接触される再生アルミノケイ酸塩を形成する間、段階ａ）における前記原材料の前記接触が停止される請求項１から請求項４２のいずれか１項に記載の四塩化チタンの精製処理。
【請求項４５】
前記原材料は、複数の容器を有するシステム中にて前記アルミノケイ酸塩と接触され、消費されると前記複数の容器のそれぞれにおいて前記アルミノケイ酸塩が再生される前記複数の容器へと、前記原材料が順次充填される請求項１から請求項４２のいずれか１項に記載の四塩化チタンの精製処理。
【請求項４６】
前記原材料は、酸化チタン、酸化鉄、および前記少なくとも１つの不純物を少なくとも３重量％含むチタン鉱の塩素化により得られる請求項１から請求項４５のいずれか１項に記載の四塩化チタンの精製処理。
【請求項４７】
前記生成物流は、顔料グレードの四塩化チタンを形成するために使用される請求項１から請求項４６のいずれか１項に記載の四塩化チタンの精製処理。
【請求項４８】
前記生成物流は、金属グレードの四塩化チタンを形成するために使用される請求項１から請求項４６のいずれか１項に記載の四塩化チタンの精製処理。
【請求項４９】
前記生成物流は、電子グレードの四塩化チタンを形成するために使用される請求項１から請求項４６のいずれか１項に記載の四塩化チタンの精製処理。
【請求項５０】
ｉ）前記不純物または複数の不純物の幾何学的サイズ、ｉｉ）前記アルミノケイ酸塩の材料のチャネルサイズ、および、ｉｉｉ）極性、表面積、アルカリ含有量、アルミナに対するシリカの比率、およびこれらの組み合わせから成る群から選択される前記アルミノケイ酸塩の材料の少なくとも１つの特性に基づいて、前記複数の不純物の特定の１つまたは前記複数の不純物の特定の群を除去するために、前記アルミノケイ酸塩の材料が選択される請求項１から請求項４９のいずれか１項に記載の四塩化チタンの精製処理。
【手続補正２】
【補正対象書類名】明細書
【補正対象項目名】発明の名称
【補正方法】変更
【補正の内容】
【発明の名称】四塩化チタンの精製処理
【手続補正３】
【補正対象書類名】明細書
【補正対象項目名】００３１
【補正方法】変更
【補正の内容】
【００３１】
以下の請求項において定義される本発明の精神および範囲から逸脱することなく、ここに記載される構造、および様々な成分、要素、並びに集合の操作における変更が成されてよく、また、ここに記載される方法の複数の段階または一連の段階において変更が成されてよい。上記の実施形態によれば、以下の構成もまた開示される。
（項目１）
ａ）四塩化チタンおよび少なくとも１つの不純物を含む原材料を、アルミノケイ酸塩、活性アルミナ、超微細ＴｉＯ２の材料に接触させることにより生成物流を形成する段階と、
ｂ）前記生成物流を回収する段階と、
を備え、
前記少なくとも１つの不純物は、硫化カルボニル、二酸化硫黄、ホスゲン、硫化水素、二硫化炭素、および、ポスト遷移金属、半金属、ジルコニウム、ハフニウム、鉄、クロム、銅、炭素、マンガン、バナジウム、ニッケル、トリウム、ウランの塩化物および酸塩化物、およびこれらの組み合わせから成る群から選択される化合物を含む、四塩化チタンの精製処理。